(57)【要約】【課題】開いた状態および閉じた状態のいずれの状態でも撮影のための適正な動作状態をとることを可能とする。【解決手段】下部筐体と上部筐体とを展開状態および折り畳み状態をそれぞれとり得るように連結する。展開状態でのみ目視可能にメインＬＣＤ８を設ける。展開状態および折り畳み状態のいずれの状態でも目視可能にサブＬＣＤ９を設ける。ベースバンド部３が有する表示制御部３ａは、開閉センサ１８の検出結果に基づいて展開状態および折り畳み状態のいずれの状態にあるかを判断する。表示制御部３ａはカメラ部１０による撮影時に、展開状態ならばメインＬＣＤ８およびサブＬＣＤ９の双方に画像表示を行わせ、折り畳み状態ならばサブＬＣＤ９のみに画像表示を行わせる。【選択図】　　図１
2004040193.tif 000002
【特許請求の範囲】
【請求項１】
第１筐体と、
前記第１筐体に連結され、前記第１筐体に対して開いた状態および閉じた状態をなすことが可能な第２筐体と、
前記第１筐体と前記第２筐体とが前記開いた状態および前記閉じた状態のいずれの状態にあるかを検出する検出手段と、
前記開いた状態でのみ使用者が目視可能な第１表示手段と、
前記開いた状態および前記閉じた状態のいずれでも使用者が目視可能な第２表示手段と、
撮影手段と、
前記検出手段により前記開いた状態であることが検出されているならば前記撮影手段により得られている画像を前記第１表示手段および前記第２表示手段の双方で表示させ、前記検出手段により前記閉じた状態であることが検出されているならば前記撮影手段により得られている画像を前記第２表示手段のみで表示させる表示制御手段とを具備した携帯通信端末。
【請求項２】
第１筐体と、
前記第１筐体に回動可能に連結され、前記第１筐体に対して開いた状態および閉じた状態をなすことが可能な第２筐体と、
前記開いた状態にて前記第２筐体が位置する側に向けて前記第１筐体から突出したアンテナと、
前記第１筐体と前記第２筐体とが前記開いた状態および閉じた状態のいずれの状態にあるかを検出する検出手段と、
前記開いた状態でのみ使用者が目視可能な第１表示手段と、
前記第２筐体に設けられ、前記開いた状態および前記閉じた状態のいずれでも使用者が目視可能な第２表示手段と、
前記第２表示手段の表示方向と同方向を撮影方向とする向きで前記第２筐体に設けられた撮影手段と、
前記検出手段により前記開いた状態であることが検出されているならば前記撮影手段により得られている画像を前記第１表示手段および前記第２表示手段の双方で表示させ、前記検出手段により前記閉じた状態であることが検出されているならば前記撮影手段により得られている画像を少なくとも前記第２表示手段で表示させる表示制御手段と、
所定の取り込みタイミングにて前記撮影手段により得られる画像をそのままでまたは１８０度回転させた上で撮影画像として取り込む取込手段と、
前記検出手段により前記開いた状態であることが検出されているならば前記取込手段に前記撮影手段により得られる画像をそのままで取り込ませ、前記検出手段により前記閉じた状態であることが検出されているならば前記撮影手段により得られる画像を１８０度回転させた上で取り込ませる取込制御手段とを具備した携帯通信端末。
【請求項３】
第１筐体と、
前記第１筐体に連結され、前記第１筐体に対して開いた状態および閉じた状態をなすことが可能な第２筐体と、
前記第１筐体と前記第２筐体とが前記開いた状態および閉じた状態のいずれの状態にあるかを検出する検出手段と、
前記第２筐体に設けられ、前記開いた状態および前記閉じた状態のいずれでも使用者が目視可能な表示手段と、
前記表示手段の表示方向と同方向を撮影方向とする向きで前記第２筐体に設けられ、かつ撮影画角を所定の第１角度およびこの第１角度よりも大きな所定の第２角度のいずれともすることが可能な撮影手段と、
前記検出手段により前記開いた状態であることが検出されているならば前記撮影手段の撮影画角を前記第１角度に設定し、前記検出手段により前記閉じた状態であることが検出されているならば前記撮影手段の画角を前記第２角度に設定する画角制御手段とを具備した携帯通信端末。
【発明の詳細な説明】
【０００１】
【発明の属する技術分野】
本発明は、折り畳みタイプなどのような開閉タイプをなすとともに、２つの表示器とカメラ機能とを備えた携帯通信端末に関する。
【０００２】
【従来の技術】
カメラ機能を備えた携帯通信端末では、表示器をファインダとして使用する。このため、表示器に対して背面側にカメラが配置される。
【０００３】
このような配置の場合、被写体となる人間は表示器に表示された画像を目視することができない。そこで従来より、カメラの近傍に鏡を配置することが行なわれている。
【０００４】
しかしながら、鏡では実際の撮影状態を認識することが困難である。また、鏡を配置する場所を確保する必要があるために、実装面やデザイン面での自由度を低下させる。
【０００５】
ところで携帯通信端末は、折り畳みタイプが広く普及している。折り畳みタイプの携帯通信端末は、折り畳み状態においても目視可能なサブ表示器を設けることも多い。そして、このサブ表示器をカメラが設けられているのと同一面に設け、このサブ表示器もファインダとして使用するようにした携帯通信端末も登場している。
【０００６】
【発明が解決しようとする課題】
しかしながらこの種の従来の携帯通信端末では、撮影は展開状態でのみ行うものとなっていた。
【０００７】
このため、折り畳み状態でもカメラによる画像取得と、その撮影画像のサブ表示器での表示が可能であるにも拘らずに、折り畳み状態での撮影を行うことはできなかった。
【０００８】
本発明はこのような事情を考慮してなされたものであり、その目的とするところは、開いた状態および閉じた状態のいずれの状態でも撮影のための適正な動作状態をとることが可能な携帯通信端末を提供することにある。
【０００９】
【課題を解決するための手段】
以上の目的を達成するために第１の本発明は、第１筐体に第２筐体を連結してなり、開いた状態および閉じた状態をなすことが可能な携帯通信端末に、前記第１筐体と前記第２筐体とが前記開いた状態および前記閉じた状態のいずれの状態にあるかを検出する検出手段と、前記開いた状態でのみ使用者が目視可能な第１表示手段と、前記開いた状態および前記閉じた状態のいずれでも使用者が目視可能な第２表示手段と、撮影手段と、表示制御手段とを備え、前記表示制御手段が、前記検出手段により前記開いた状態であることが検出されているならば前記撮影手段により得られている画像を前記第１表示手段および前記第２表示手段の双方で表示させ、前記検出手段により前記閉じた状態であることが検出されているならば前記撮影手段により得られている画像を前記第２表示手段のみで表示させることとした。
【００１０】
このような手段を講じたことにより、開いた状態および閉じた状態のいずれの状態でも目視可能な第２表示手段には、開いた状態での撮影時および閉じた状態での撮影時のいずれにも撮影手段により得られた画像が表示される。第１表示手段には、開いた状態での撮影時のみ撮影手段により得られた画像が表示される。従って、開いた状態および閉じた状態のいずれでも撮影手段により撮影される画像を操作者が確認することができ撮影を行うことが可能である。しかも、閉じた状態では、第２表示手段のみに撮影画像を表示させることで、無駄に第１表示手段が動作することが防止される。
【００１１】
前記目的を達成するために第２の本発明は、第１筐体に第２筐体を回動可能に連結してなり開いた状態および閉じた状態をなすことが可能であるとともに、前記開いた状態にて前記第２筐体が位置する側に向けて前記第１筐体から突出したアンテナを備える携帯通信端末に、前記第１筐体と前記第２筐体とが前記開いた状態および閉じた状態のいずれの状態にあるかを検出する検出手段と、前記開いた状態でのみ使用者が目視可能な第１表示手段と、前記第２筐体に設けられ、前記開いた状態および前記閉じた状態のいずれでも使用者が目視可能な第２表示手段と、前記第２表示手段の表示方向と同方向を撮影方向とする向きで前記第２筐体に設けられた撮影手段と、前記検出手段により前記開いた状態であることが検出されているならば前記撮影手段により得られている画像を前記第１表示手段および前記第２表示手段の双方で表示させ、前記検出手段により前記閉じた状態であることが検出されているならば前記撮影手段により得られている画像を少なくとも前記第２表示手段で表示させる表示制御手段と、所定の取り込みタイミングにて前記撮影手段により得られる画像をそのままでまたは１８０度回転させた上で撮影画像として取り込む取込手段と、取込制御手段とを備え、この取込制御手段は、前記検出手段により前記開いた状態であることが検出されているならば前記取込手段に前記撮影手段により得られる画像をそのままで取り込ませ、前記検出手段により前記閉じた状態であることが検出されているならば前記撮影手段により得られる画像を１８０度回転させた上で取り込ませることとした。
【００１２】
このような手段を講じたことにより、開いた状態および閉じた状態のいずれの状態でも目視可能な第２表示手段には、開いた状態での撮影時および閉じた状態での撮影時のいずれにも撮影手段により得られた画像が表示される。第１表示手段には、開いた状態での撮影時に撮影手段により得られた画像が少なくとも表示される。従って、開いた状態および閉じた状態のいずれでも撮影手段により撮影される画像を操作者が確認することができ撮影を行うことが可能である。また、アンテナが開いた状態にて第２筐体が位置する側に向けて第１筐体から突出しているから、アンテナを上に向けた姿勢を標準の使用状態とするならば、開いた状態および閉じた状態とでは第２筐体の上下が反転し、撮影手段の上下も反転する。しかし閉じた状態では撮影画像として取り込む画像を１８０度回転させているから、開いた状態および閉じた状態のいずれの状態でも同じ向きの画像が撮影画像として取り込まれる。
【００１３】
前記目的を達成するために第３の本発明は、第１筐体に第２筐体を連結してなり、開いた状態および閉じた状態をなすことが可能な携帯通信端末に、前記第１筐体と前記第２筐体とが前記開いた状態および閉じた状態のいずれの状態にあるかを検出する検出手段と、前記第２筐体に設けられ、前記開いた状態および前記閉じた状態のいずれでも使用者が目視可能な表示手段と、前記表示手段の表示方向と同方向を撮影方向とする向きで前記第２筐体に設けられ、かつ撮影画角を所定の第１角度およびこの第１角度よりも大きな所定の第２角度のいずれともすることが可能な撮影手段と、画角制御手段とを備え、前記検出手段により前記開いた状態であることが検出されているならば前記画角制御手段により前記撮影手段の撮影画角を前記第１角度に設定し、前記検出手段により前記閉じた状態であることが検出されているならば前記画角制御手段により前記撮影手段の画角を前記第２角度に設定することとした。
【００１４】
このような手段を講じたことにより、開いた状態および閉じた状態のいずれの状態でも目視可能な第２表示手段には、開いた状態での撮影時および閉じた状態での撮影時のいずれにも撮影手段により得られた画像が表示される。撮影手段の画角は、開いた状態では第１角度に設定され、閉じた状態では第１角度よりも大きな第２角度に設定される。従って、開いた状態および閉じた状態のいずれでも撮影手段により撮影される画像を操作者が確認することができ撮影を行うことが可能である。しかも、閉じた状態では、開いた状態のときよりも画角が大きくされるので、閉じた状態での撮影は開いた状態よりも近接した被写体を撮影するのに適した撮影状態が設定される。
【００１５】
【発明の実施の形態】
以下、図面を参照して本発明の一実施形態につき説明する。
【００１６】
図１は本実施形態に係る携帯電話機のブロック図である。
【００１７】
図１に示すように本実施形態の携帯電話機は、アンテナ１、無線部２、ベースバンド部３、モデム部４、メモリ部５、マルチメディアコーデック６、ＬＣＤコントローラ７、メインＬＣＤ８、サブＬＣＤ９、カメラ部１０、マイクロホン１１、レシーバ１２、ステレオヘッドセットジャック１３、入力部１４、サウンダ１５、バイブレータ１６、ＵＳＢインタフェースコネクタ１７、開閉センサ１８および電源部１９を有する。
【００１８】
無線部２は、図示はしないが、送信部、デュプレクサ、アイソレータおよび受信部を有する。そして無線部２は、ベースバンド部３から出力される送信信号（ＨＰＳＫ変調信号）を、送信部で直交変調、アップコンバートおよび電力増幅を行う。無線部２はさらに、送信部で処理済みの送信信号をデュプレクサおよびアイソレータを経由してアンテナ１に供給する。これにより、送信信号がアンテナ１から図示しない基地局へ向けて送信される。なお送信部は、高精度の送信利得制御を行うことができる。また無線部２は、図示しない基地局から送信された無線信号をアンテナ１により受信して得られた受信信号を、受信部でダウンコンバートおよび直交復調した上で、ベースバンド部３へと与える。
【００１９】
ベースバンド部３は、ＬＳＩにより構成される。そしてベースバンド部３は、大別して３つの機能を有する。その１つ目は、無線部２へと与える送信信号や無線部２から与えられる受信信号に対するベースバンド信号処理を行う機能である。２つ目は、通信制御や周辺回路制御などの制御処理を行う機能である。そして３つ目は、音声の符号化／復号を行う機能である。
【００２０】
モデム部４は、ＬＳＩにより構成される。モデム部４は、送信信号の変調および受信信号の復調を行う。
【００２１】
メモリ部５は、ＳＲＡＭやＦＲＯＭを有する。そしてメモリ部５は、さまざまなデータを記憶保持する。このメモリ部５に記憶されるデータには、各種の設定情報、各種の受信データ、ならびに本装置で作成された各種の送信データなどが含まれる。
【００２２】
マルチメディアコーデック６は、３つの専用プロセッサコア、各処理専用のハードロジックコア、ならびに１６ＭビットＳＤＲＡＭを含んで構成されたＬＳＩよりなる。マルチメディアコーデック６は、操作者によるシャッタ操作に応じてカメラ部１０から出力される画像データを撮影データとして取り込む。マルチメディアコーデック６は、ホストＣＰＵに実装するＭＰＥＧ−４／Ｈ．３２４（Ａｎｎｅｘ　Ｃ）の制御ソフトウェアと連携して、ＭＰＥＧ−４／Ｈ．３２４（Ａｎｎｅｘ　Ｃ）処理を行う。マルチメディアコーデック６はこの処理により、ＭＰＥＧ−４ビデオ符号化復号処理、音声／オーディオ符号化復号処理、ならびにＨ．２２３多重分離処理を実現する。またマルチメディアコーデック６は、静止画や動画の取り込みに関するモード（取り込みモード）として通常モードおよび反転モードを有する。通常モードは、カメラ部１０が出力する画像データをそのままで撮影データとして取り込む。反転モードは、カメラ部１０が出力する画像データを、画像の向きを１８０℃回転させる画像処理を行った上で撮影データとして取り込む。
【００２３】
ＬＣＤコントローラ７は、ＬＳＩにより構成される。ＬＣＤコントローラ７は、マルチメディアコーデック６から与えられる画像データに基づいてのメインＬＣＤ８およびサブＬＣＤ９の駆動を行う。ＬＣＤコントローラ７は、メインＬＣＤ８とサブＬＣＤ９とは画面サイズおよび表示色数の違いに対処するための画像処理を行う機能を持つ。この画像処理は例えば、減色処理および縮小処理などである。
【００２４】
メインＬＣＤ８としては、反射型カラー液晶ディスプレイが用いられる。メインＬＣＤ８は、ＬＣＤコントローラ７による駆動の下にさまざまな画像を表示する。
【００２５】
サブＬＣＤ９としては、反射型カラー液晶ディスプレイが用いられる。サブＬＣＤ９は、ＬＣＤコントローラ７による駆動の下にさまざまな画像を表示する。ただしサブＬＣＤ９は、メインＬＣＤ８に比べて画面サイズおよび表示色数で劣る。
【００２６】
カメラ部１０は、任意の被写体を撮影し、画像データを生成する。カメラ部１０は、生成した画像データをマルチメディアコーデック６へと与える。カメラ部１０は、ズーム機能を有し、撮影画角を変化することが可能である。カメラ部１０の撮影画角は、複数段階の所定の撮影画角を選択的に使用可能である。カメラ部１０が使用可能な撮影画角には、所定の第１画角および第２画角を含む。第１画角は、２ｍ程度離間した人間を撮影するのに適する。第２画角は、３０ｃｍ程の距離にある人間の顔を撮影するのに適する。
【００２７】
マイクロホン１１は、ユーザが発声した送話音声などの周囲の音を電気信号に変換する。マイクロホン１１は、この電気信号を送話信号としてベースバンド部３へと与える。
【００２８】
レシーバ１２は、ベースバンド部３から与えられる受話信号や再生音声信号に基づき拡声出力を行う。
【００２９】
ステレオヘッドセットジャック１３は、ステレオ対応のヘッドセット（図示せず）を接続するためのものである。ステレオヘッドセットジャック１３は、ヘッドセットが接続されているときに、ヘッドセットから出力される送話信号をベースバンド部３へと与える。またこのときにステレオヘッドセットジャック１３は、ベースバンド部３から出力される受話信号および再生音声信号をヘッドセットへと与える。
【００３０】
入力部１４は、ダイヤルキー、発信キー、電源キー、終了キー、音量調節キー、ならびにモード指定キーなどのキー群を有している。入力部１４は、これらのキーの押下によるユーザ指示を入力する。
【００３１】
サウンダ１５は、着信音およびキー確認音をベースバンド部３の制御の下に出力する。
【００３２】
バイブレータ１６は、着信通知および無線回線の品質レベルの通知などのための振動動作をベースバンド部３の制御の下に行う。
【００３３】
ＵＳＢインタフェースコネクタ１７は、外部機器を接続するためのものである。このＵＳＢインタフェースコネクタ１７に接続された外部機器とベースバンド部３との間でデータの授受を行うことが可能である。
【００３４】
開閉センサ１８は、後述するように展開状態および折り畳み状態の２状態をとることが可能な筐体が、上記２状態のいずれの状態をなしているかを検出する。開閉センサ１８は、上記の検出の結果を示す検出信号をベースバンド部３へと与える。
【００３５】
電源部１９は、ＡＬＢ電池１９ａ、充電回路１９ｂおよびレギュレータ１９ｃを有する。電源部１９は、各部に必要な電源を供給する。また電源部１９は、電源電圧が規定値以下になった時にシステム全体へリセット信号を送出する機能やメモリ部５内のＳＲＡＭのバックアップ機能も有する。
【００３６】
ところで、ベースバンド部３は、例えば音声通話機能などのような携帯電話機における周知の機能を実現するための制御処理を行う制御部としての他に、表示制御部３ａ、画角制御部３ｂおよび取込制御部３ｃとして動作する。なお、これらの各部としての動作は、ベースバンド部３に内蔵されたプロセッサがソフトウェア処理を実行することにより実現される。
【００３７】
表示制御部３ａは、カメラ部１０による撮影時におけるメインＬＣＤおよびサブＬＣＤ９での画像表示を後述するように制御する。
【００３８】
画角制御部３ｂは、カメラ部１０の撮影開始初期の撮影画角（以下、初期画角と称する）を後述するように制御する。
【００３９】
取込制御部３ｃは、マルチメディアコーデック６の取り込みモードを後述のように制御する。
【００４０】
図２および図３は本実施形態の携帯電話機の外観を示す図である。図２は展開状態を示す。図３は折り畳み状態を示す。なお図２および図３において図１と同一部分には同一符号を付して示す。
【００４１】
図２および図３に示すように本実施形態の携帯電話機は、下部筐体１００と上部筐体２００とを有している。この下部筐体１００および上部筐体２００は、ヒンジ部３００を介して回動可能なように連結されている。これにより本実施形態の携帯電話機は、いわゆる折り畳みタイプをなす。
【００４２】
下部筐体１００には、キー群１５ａ、開閉センサ１８および送話口２１が設けられている。ここでキー群１５ａは、入力部１４に含まれる操作キーの多くを含む。開閉センサ１８は、上部筐体２００に設けられた突起２３によりＯＮ／ＯＦＦされる。また送話口２１は、周囲の音を下部筐体１００の内部に配置されたマイクロホン１１へと導く。
【００４３】
上部筐体２００には、図２に示すように内面にメインＬＣＤ８、受話口２２および突起２３がそれぞれ設けられている。上部筐体２００には、図３に示すように背面にサブＬＣＤ９およびカメラ部１０がそれぞれ設けられている。受話口２２は、上部筐体２００の内部に配置されたレシーバ１２で拡声出力された音を上部筐体２００の外部へと導く。
【００４４】
なおアンテナ１は図２および図３に示すように、下部筐体１００からヒンジ部３００の側に向けて突出する状態で設けられている。
【００４５】
次に以上のように構成された携帯電話機の動作につき説明する。なお、本実施形態の携帯電話機は、音声通話機能などのような携帯電話機における一般的な機能を有する。このような機能を実現するための処理は従来と同様であるのでその説明は省略する。ここでは、カメラ部１０による撮影時における画像表示の動作につき詳しく説明する。
【００４６】
静止画撮影および動画撮影などのようなカメラ部１０を用いて撮影を行う動作モードが起動された場合、ベースバンド部３はカメラ部１０およびマルチメディアコーデック６等を撮影のための周知の動作状態に設定する。これと並んでベースバンド部３は、図４に示すような撮影準備処理を実行する。
【００４７】
まずベースバンド部３はステップＳＴ１において、開閉センサ１８が出力する検出信号を取得する。ベースバンド部３はステップＳＴ２において、下部筐体１００および上部筐体２００がの状態を上記の取得した検出信号に基づいて判断する。
【００４８】
下部筐体１００および上部筐体２００が展開状態にあることを確認したならば、ベースバンド部３はステップＳＴ３において、メインＬＣＤ８に関する動作設定をイネーブルとする。またベースバンド部３はステップＳＴ４において、サブＬＣＤ９に関する動作設定をイネーブルとする。次にベースバンド部３はステップＳＴ５において、カメラ部１０の初期画角を第１画角に設定する。さらにベースバンド部３はステップＳＴ６において、取り込みモードを通常モードに設定し、これをもって撮影準備処理を終了する。
【００４９】
これに対して、下部筐体１００および上部筐体２００が折り畳み状態にあることをステップＳＴ２にて確認したならば、ベースバンド部３はステップＳＴ７において、メインＬＣＤ８に関する動作設定をディゼーブルとする。またベースバンド部３はステップＳＴ８において、サブＬＣＤ９に関する動作設定をイネーブルとする。次にベースバンド部３はステップＳＴ９において、カメラ部１０の初期画角を第１画角に設定する。さらにベースバンド部３はステップＳＴ１０において、取り込みモードを反転モードに設定し、これをもって撮影準備処理を終了する。
【００５０】
ベースバンド部３は、以上のステップＳＴ３、ステップＳＴ４、ステップＳＴ７およびステップＳＴ８での各種の設定は、ＬＣＤコントローラ７に対して行う。ベースバンド部３は、ステップＳＴ５およびステップＳＴ９での設定は、カメラ部１０に対して行う。ベースバンド部３は、ステップＳＴ６およびステップＳＴ１０での設定は、マルチメディアコーデック６に対して行う。
【００５１】
ＬＣＤコントローラ７へは、撮影動作状態ではカメラ部１０により取得された画像データがマルチメディアコーデック６を介して与えられる。ＬＣＤコントローラ７は、この画像データに基づく画像の表示を、イネーブル設定されているＬＣＤに表示させる。またＬＣＤコントローラ７は、サブＬＣＤ９に表示させる画像の向きをモードに応じて変化させる。
【００５２】
かくして、展開状態にあるときには、ＬＣＤコントローラ７はメインＬＣＤ８およびサブＬＣＤ９の双方に表示を行わせる。さらにこのときにＬＣＤコントローラ７は、左右を反転させた鏡像画像をサブＬＣＤ９に表示させる。またこのときにカメラ部１０は、初期には撮影画角を第１画角とする。
【００５３】
この結果、展開状態での撮影開始時には、図５に示すように２ｍ程度の距離Ｌ１で離間した人間を適正に撮影することが可能な撮影画角がカメラ部１０に設定される。そしてカメラ部１０で得られた正立画像Ｉ１が図５（ａ）に示すようにメインＬＣＤ８には表示される。カメラ部１０で得られる画像の鏡像画像Ｉ２が図５（ｂ）に示すようにサブＬＣＤ９に表示される。
【００５４】
すなわちこの状態は、携帯電話機の操作者がメインＬＣＤ８に表示される画像を確認しながら撮影を行い、写される者はサブＬＣＤ９に表示される画像にて自己の様子を確認するといった使用状況に適合する。
【００５５】
一方、折り畳み状態にあるときには、ＬＣＤコントローラ７はサブＬＣＤ９のみに表示を行わせる。さらにこのときにＬＣＤコントローラ７は、左右を反転させた鏡像画像をサブＬＣＤ９に表示させる。またこのときにカメラ部１０は、初期には撮影画角を第２画角とする。
【００５６】
この結果、折り畳み状態での撮影開始時には、図６に示すように３０ｃｍ程度の距離Ｌ２で離間した人間の顔を適正に撮影することが可能な撮影画角がカメラ部１０に設定される。そしてカメラ部１０で得られる画像の鏡像画像Ｉ３が図６に示すようにサブＬＣＤ９に表示される。
【００５７】
すなわちこの状態は、携帯電話機の操作者がサブＬＣＤ９に表示される画像を確認しながら自己を撮影するといった使用状況に適合する。
【００５８】
なお、カメラ部１０の撮影画角は、その後は操作者による指示に応じて変化させる。
【００５９】
さて、以上のようにカメラ部１０で得られる画像を表示している状態にあるとき、マルチメディアコーデック６はカメラ部１０が出力する画像データを所定のタイミング毎に撮影データとして取り込む。例えば静止画モードが設定されているならば、マルチメディアコーデック６は入力部１４での所定のキー操作によりシャッタ操作がなされる毎に撮影データを取り込む。また動画モードが設定されているならば入力部１４での所定のキー操作により撮影実行が指定されている期間中の所定の周期毎に撮影データを取り込む。マルチメディアコーデック６は、取り込んだ撮影データに対して圧縮処理やＭＰＥＧ−４／Ｈ．３２４（Ａｎｎｅｘ　Ｃ）処理などを周知のように施した上で、メモリ部５への記憶や送信のためにベースバンド部３へと渡す。
【００６０】
このときマルチメディアコーデック６は、取り込みモードとして通常モードが設定されているならば、画像を回転するための画像処理は行わない。しかしながらマルチメディアコーデック６は、取り込みモードとして反転モードが設定されているならば、画像の向きを１８０度回転させるための画像処理を行う。
【００６１】
本実施形態の携帯電話機は、アンテナ１が下部筐体１００からヒンジ部３００の側に向けて突出する状態で設けられている。一般に携帯電話機は、アンテナ１を上に向けた姿勢で使用される。このため本実施形態の携帯電話機は、展開状態では図２に示す姿勢で使用されることとなる。本実施形態の携帯電話機は、折り畳み状態では図３に示す姿勢で使用されることとなる。この結果、展開状態と折り畳み状態では、上部筐体１００の上下が逆となる。カメラ部１０は上部筐体１００に設けられているから、カメラ部１０も上下が逆となる。
【００６２】
上述のように、展開状態では取り込みモードとして通常モードが設定されて画像の回転は行われない。折り畳み状態では取込モードとして反転モードが設定されて画像の回転が行われる。
【００６３】
このように本実施形態によれば、展開状態にあるときと折り畳み状態にあるときとで、それぞれの状態に適した撮影状態での撮影が行えるように動作状態が自動的に設定される。これにより、利便性が向上する。
【００６４】
また本実施形態によれば、折り畳み状態ではメインＬＣＤ８が動作しないので、消費電力の低減を図ることが可能である。
【００６５】
また本実施形態によれば、展開状態と折り畳み状態とでのカメラ部１０の向きの違いを画像の回転処理のＯＮ／ＯＦＦにより補償するので、いずれの状態でも同一の向きの撮影画像を取得することができる。
【００６６】
なお本発明は上記実施形態に限定されるものではない。例えば上記実施形態では、メインＬＣＤ８のＯＮ／ＯＦＦの制御と、カメラ部１０の撮影画角の制御と、撮影画像の回転制御とのそれぞれを行うようにしているが、それらのうちの任意の１つまたは２つを行わない構成とすることも可能である。
【００６７】
また、メインＬＣＤ８およびサブＬＣＤ９は、いずれか一方を下部筐体１００に設けるようにしても良い。
【００６８】
また、第１画角および第２画角の具体的な内容は任意であって良い。例えば、展開状態での標準的な被写体を遠景と想定し、第１画角をそれに適した撮影画角に設定しても良い。あるいは、第１画角および第２画角をユーザにより設定可能としても良い。このようにすれば、ユーザ毎の使い方の違いに応じた柔軟な運用が可能となってより便利となる。
【００６９】
また、下部筐体１００と上部筐体２００とを相対的にスライド可能なように連結し、スライド動作により開閉を行える構造としても良い。
【００７０】
また、Ｗ−ＣＤＭＡ方式とは異なる方式の携帯電話機、あるいはＰＨＳ端末のような他種の移動電話端末にも本発明の適用が可能である。
【００７１】
このほか、本発明の要旨を逸脱しない範囲で種々の変形実施が可能である。
【００７２】
【発明の効果】
第１の本発明によれば、開いた状態および閉じた状態のいずれの状態でも目視可能な第２表示手段には、開いた状態での撮影時および閉じた状態での撮影時のいずれにも撮影手段により得られた画像を表示させ、第１表示手段には、開いた状態での撮影時のみ撮影手段により得られた画像を表示させることとしたので、開いた状態および閉じた状態のいずれでも撮影手段により撮影される画像を操作者が確認しながら撮影を行うことが可能であるとともに、閉じた状態では、第２表示手段のみに撮影画像を表示させることで、無駄に第１表示手段が動作することが防止される。この結果、開いた状態および閉じた状態のいずれの状態でも撮影のための適正な動作状態をとることが可能な携帯通信端末となる。
【００７３】
第２の本発明によれば、開いた状態および閉じた状態のいずれの状態でも目視可能な第２表示手段には、開いた状態での撮影時および閉じた状態での撮影時のいずれにも撮影手段により得られた画像が表示される。第１表示手段には、開いた状態での撮影時に撮影手段により得られた画像が少なくとも表示される。従って、開いた状態および閉じた状態のいずれでも撮影手段により撮影される画像を操作者が確認することができ撮影を行うことが可能である。また、アンテナが開いた状態にて第２筐体が位置する側に向けて第１筐体から突出しているから、アンテナを上に向けた姿勢を標準の使用状態とするならば、開いた状態および閉じた状態とでは第２筐体の上下が反転し、撮影手段の上下も反転する。しかし閉じた状態では撮影画像として取り込む画像を１８０度回転させているから、開いた状態および閉じた状態のいずれの状態でも同じ向きの画像が撮影画像として取り込まれる。この結果、開いた状態および閉じた状態のいずれの状態でも撮影のための適正な動作状態をとることが可能な携帯通信端末となる。
【００７４】
第３の本発明によれば、開いた状態および閉じた状態のいずれの状態でも目視可能な第２表示手段には、開いた状態での撮影時および閉じた状態での撮影時のいずれにも撮影手段により得られた画像を表示させるとともに、撮影手段の画角は、開いた状態では第１角度に設定され、閉じた状態では第１角度よりも大きな第２角度に設定させることとしたので、開いた状態および閉じた状態のいずれでも撮影手段により撮影される画像を操作者が確認することができ撮影を行うことが可能であるとともに、閉じた状態では、開いた状態のときよりも画角が大きくされるので、閉じた状態での撮影は開いた状態よりも近接した被写体を撮影するのに適した撮影状態が設定される。この結果、開いた状態および閉じた状態のいずれの状態でも撮影のための適正な動作状態をとることが可能な携帯通信端末となる。
【図面の簡単な説明】
【図１】本発明の一実施形態に係る携帯電話機のブロック図。
【図２】本発明の一実施形態に係る携帯電話機の展開状態での外観を示す斜視図。
【図３】本発明の一実施形態に係る携帯電話機の折り畳み状態での外観を示す斜視図。
【図４】撮影準備処理のフローチャート。
【図５】展開状態での撮影状況の一例を示す図。
【図６】折り畳み状態での撮影状況の一例を示す図。
【符号の説明】
１…アンテナ
２…無線部
３…ベースバンド部
３ａ…表示制御部
３ｂ…画角制御部
４…モデム部
５…メモリ部
６…マルチメディアコーデック
７…ＬＣＤコントローラ
８…メインＬＣＤ
９…サブＬＣＤ
１０…カメラ部
１１…マイクロホン
１２…レシーバ
１３…ステレオヘッドセットジャック
１４…入力部
１５…サウンダ
１６…バイブレータ
１７…ＵＳＢインタフェースコネクタ
１８…開閉センサ
１９…電源部
１００…下部筐体
２００…上部筐体
３００…ヒンジ部
【図１】
2004040193.tif 000003
【図２】
2004040193.tif 000004
【図３】
2004040193.tif 000005
【図４】
2004040193.tif 000006
【図５】
2004040193.tif 000007
【図６】
2004040193.tif 000008